(57)【特許請求の範囲】
【請求項１】
法面に定着したロックボルトの法面よりの突出部分に盤状をなす受圧構造物の中央部を位置決めして差込み取付ける法面の補強工法において用いる受圧構造物の位置決め金具であって、受圧構造物は、縦桟と横桟とで格子状に構成されて矩形の升目を有するか、ハニカム構造に構成されて六角形の升目を有し、或いは同心円状に配置した環状の桟と放射状に配置した桟とで構成されて円弧状の升目を有すると共に、中央部に矩形、六角形又は円形の孔部を設け、前記位置決め金具が前記孔部に位置決めして取付けられると共に、前記ロックボルトの法面よりの突出部分に差し込まれて該突出部分を保持する保持部を有し、前記孔部に位置決めして取付けた状態で前記保持部に保持されるロックボルトの突出部分が前記孔部の中央に位置し、前記位置決め金具が線バネを屈曲して形成されて、前記孔部の中心線の延長上に位置する桟に嵌着する取着部を有すると共に、該取着部が桟を両側より挟み込んで挟着する一対の平行に突出する凸状部を有し、前記保持部が略円形又は菱形をなして前記突出部を両側より挟み込んで保持することを特徴とする受圧構造物の位置決め金具。
【請求項２】
法面に定着したロックボルトの法面よりの突出部分に盤状をなす受圧構造物の中央部を位置決めして差込み取付ける法面の補強工法において用いる受圧構造物の位置決め金具であって、受圧構造物は、縦桟と横桟とで格子状に構成されて矩形の升目を有するか、ハニカム構造に構成されて六角形の升目を有し、或いは同心円状に配置した環状の桟と放射状に配置した桟とで構成されて円弧状の升目を有すると共に、中央部に矩形、六角形又は円形の孔部を設け、前記位置決め金具が前記孔部に位置決めして取付けられると共に、前記ロックボルトの法面よりの突出部分に差し込まれて該突出部分を保持する保持部を有し、前記孔部に位置決めして取付けた状態で前記保持部に保持されるロックボルトの突出部分が前記孔部の中央に位置し、前記位置決め金具が板バネより形成されて、前記孔部の中心線の延長上に位置する桟に嵌着する取着部を有すると共に、該取着部が両側に設けられて、それぞれ前記横桟又は縦桟に嵌着する嵌合溝を有し、取着部間は平坦をなすか、或いは凹状をなして前記孔部に嵌着し、取着部間中央に円形孔よりなる保持部を有することを特徴とする受圧構造物の位置決め金具。
【請求項３】
法面に定着したロックボルトの法面よりの突出部分に盤状をなす受圧構造物の中央部を位置決めして差込み取付ける法面の補強工法において用いる受圧構造物の位置決め金具であって、受圧構造物は、縦桟と横桟とで格子状に構成されて矩形の升目を有するか、ハニカム構造に構成されて六角形の升目を有し、或いは同心円状に配置した環状の桟と放射状に配置した桟とで構成されて円弧状の升目を有すると共に、中央部に矩形、六角形又は円形の孔部を設け、前記位置決め金具が前記孔部に位置決めして取付けられると共に、前記ロックボルトの法面よりの突出部分に差し込まれて該突出部分を保持する保持部を有し、前記孔部に位置決めして取付けた状態で前記保持部に保持されるロックボルトの突出部分が前記孔部の中央に位置し、前記孔部は平面視で円形をなして、位置決め金具が矩形の板バネ体より形成され、中央に円形孔よりなる保持部を有することを特徴とする受圧構造物の位置決め金具。
【発明の詳細な説明】
【技術分野】
【０００１】
本発明は、法面の補強工法において用いられる受圧構造物の位置決め金具に関する。
【背景技術】
【０００２】
法面の補強工法は一般に、法面に掘削した孔内にロックボルトを挿入し、ついでグラウト材を注入してロックボルトを定着後、法面から突出するロックボルトの突出部分に受圧構造物を差込み、その後、ナットを捩じ込んで締め込むことにより受圧構造物を法面に圧着し、固定する工法で、受圧構造物としては、植生が可能な格子状の矩形の受圧板（特許文献１）、ハニカム構造をなす六角形の受圧板（特許文献２）、同心円状に配置した環状の桟と、放射状に配置した桟とで、クモの巣状に一体成型した受圧板（特許文献３）等が知られる。
【０００３】
ロックボルトに関しては、ロックボルトを定位置で法面に設置させる工法として、ロックボルトの長手方向に所定の間隔でスペーサを装着し、該スペーサより放射状に膨出する複数の支持片を掘削孔の内面に当てることにより、ロックボルトを掘削孔の孔中心に保持させる工法が知られる（特許文献４）。
【先行技術文献】
【特許文献】
【０００４】
【特許文献１】特開２００４−２６３５２０号公報
【特許文献２】特開２００３−１６０９４０号公報
【特許文献３】特開２００４−２０４６３８号公報
【特許文献４】特開２００５−１２０８２４号公報
【発明の概要】
【発明が解決しようとする課題】
【０００５】
特許文献１−３に開示されるような植生が可能な受圧構造物において、法面への施工は従来、法面より突出するロックボルトの突出部分に受圧構造物を通し、受圧構造物中央部のサイズの比較的大きな升目の中央にロックボルトが位置するように位置決めしたのち、ラスピン（Ｌ形金具）等を用いて受圧構造物周縁の数か所の升目に通し、法面に打ち込んで仮止めした状態で、ロックボルトの突出部分に取付板を差込み、その上よりナットを捩じ込んで締着していた。
【０００６】
本発明は、受圧構造物を上述するように位置決めしたのちラスピン等の金具を用いて仮止めすることなく、受圧構造物中央部がロックボルト突出部分に合致するように位置出しして取付けることができる位置決め金具を提供することを目的とする。
【課題を解決するための手段】
【０００７】
請求項１に係る発明は、法面に定着したロックボルトの法面よりの突出部分に盤状をなす受圧構造物の中央部を位置決めして差込み取付ける法面の補強工法において用いる受圧構造物の位置決め金具であって、受圧構造物は、縦桟と横桟とで格子状に構成されて矩形の升目を有するか、ハニカム構造に構成されて六角形の升目を有し、或いは同心円状に配置した環状の桟と放射状に配置した桟とで構成されて円弧状の升目を有すると共に、中央部に矩形、六角形又は円形の孔部を設け、前記位置決め金具が前記孔部に位置決めして取付けられると共に、前記ロックボルトの法面よりの突出部分に差し込まれて該突出部分を保持する保持部を有し、前記孔部に位置決めして取付けた状態で前記保持部に保持されるロックボルトの突出部分が前記孔部の中央に位置し、前記位置決め金具が線バネを屈曲して形成されて、前記孔部の中心線の延長上に位置する桟に嵌着する取着部を有すると共に、該取着部が桟を両側より挟み込んで挟着する一対の平行に突出する凸状部を有し、前記保持部が略円形又は菱形をなして前記突出部を両側より挟み込んで保持することを特徴とする。
【０００８】
請求項２に係る発明は、法面に定着したロックボルトの法面よりの突出部分に盤状をなす受圧構造物の中央部を位置決めして差込み取付ける法面の補強工法において用いる受圧構造物の位置決め金具であって、受圧構造物は、縦桟と横桟とで格子状に構成されて矩形の升目を有するか、ハニカム構造に構成されて六角形の升目を有し、或いは同心円状に配置した環状の桟と放射状に配置した桟とで構成されて円弧状の升目を有すると共に、中央部に矩形、六角形又は円形の孔部を設け、前記位置決め金具が前記孔部に位置決めして取付けられると共に、前記ロックボルトの法面よりの突出部分に差し込まれて該突出部分を保持する保持部を有し、前記孔部に位置決めして取付けた状態で前記保持部に保持されるロックボルトの突出部分が前記孔部の中央に位置し、前記位置決め金具が板バネより形成されて、前記孔部の中心線の延長上に位置する桟に嵌着する取着部を有すると共に、該取着部が両側に設けられて、それぞれ前記横桟又は縦桟に嵌着する嵌合溝を有し、取着部間は平坦をなすか、或いは凹状をなして前記孔部に嵌着し、取着部間中央に円形孔よりなる保持部を有することを特徴とする。
【０００９】
請求項３に係る発明は、法面に定着したロックボルトの法面よりの突出部分に盤状をなす受圧構造物の中央部を位置決めして差込み取付ける法面の補強工法において用いる受圧構造物の位置決め金具であって、受圧構造物は、縦桟と横桟とで格子状に構成されて矩形の升目を有するか、ハニカム構造に構成されて六角形の升目を有し、或いは同心円状に配置した環状の桟と放射状に配置した桟とで構成されて円弧状の升目を有すると共に、中央部に矩形、六角形又は円形の孔部を設け、前記位置決め金具が前記孔部に位置決めして取付けられると共に、前記ロックボルトの法面よりの突出部分に差し込まれて該突出部分を保持する保持部を有し、前記孔部に位置決めして取付けた状態で前記保持部に保持されるロックボルトの突出部分が前記孔部の中央に位置し、前記孔部は平面視で円形をなして、位置決め金具が矩形の板バネ体より形成され、中央に円形孔よりなる保持部を有することを特徴とする。
【発明の効果】
【００１０】
本発明によると、受圧構造物の中央部に位置決めして取付けられた位置決め金具によりロックボルトの法面よりの突出部分を保持すると、受圧構造物は中央部が前記ロックボルトの突出部分に位置決めされて取付けられるようになり、従来のように受圧構造物を位置決めし、その数か所をラスピン等の金具を用いて仮止めするのと比べ、作業を簡略化することができ、請求項１及び２に係る発明においては、取着部をそれぞれ孔部両側の桟に嵌着するだけで位置決め金具を受圧構造物の中央部に位置決めして取付けることができる。更に請求項１に係る発明においては、線バネによって形成される保持部の弾発力でロックボルトの突出部分を両側より挟み込んでしっかりと保持することができる。
【００１３】
請求項２に係る発明においては、前記発明による効果と、取着部をそれぞれ孔部両側の桟に嵌着するだけで位置決め金具を受圧構造物の中央部に位置決めして取付けることができる効果のほか、取着部を孔部両側の桟に嵌着するだけで位置決め金具を受圧構造物の中央部に位置決めして取付けることができると共に、取着部間の凹状部が孔部に嵌着して該孔部に保持されるようにした場合、位置決め金具の保持がしっかりと確実に行えるようになる効果を有する。
【００１４】
請求項３に係る発明においては、前記発明による効果のほか、位置決め金具を円形の孔部に嵌着するだけで四隅のエッジが孔部に当たって位置決めされるようになり、これにより位置決め金具が孔部及び受圧構造物の中央部に位置決めして取付けられるようになる、という効果を有する。
【図面の簡単な説明】
【００１５】
【図１】受圧構造物中央の孔部に取付けられる位置決め金具を示す図。
【図２】法面に取付けられた受圧構造物の要部断面図。
【図３】受圧構造物に取付けられる位置決め金具の別の例を示す図。
【図４】受圧構造物に取付けられる位置決め金具の更に別の例を示す図。
【図５】受圧構造物に取付けられる位置決め金具の更に別の例を示す図。
【図６】受圧構造物に取付けられる位置決め金具の他の例を示す図。
【図７】別の受圧構造物中央の孔部に位置決め金具を取り付けた平面図。
【発明を実施するための形態】
【００１６】
以下、本発明の実施形態について図面により説明する。図中、同一構造部分には同一符号を付してある。
図１Ａ及び図１Ｂは受圧構造物１に取付けられる位置決め金具２を示すものであり、図２は前記位置決め金具２を用いてロックボルト３の法面よりの突出部分３ａに位置出しして取付けられた受圧構造物１の要部を示すもので、ロックボルト３は常法のように法面４に掘削した孔５に挿入され、図示しないグラウト材を注入することによって定着されるようになっている。図中、８は前記突出部分３ａに差し込んで取付けられる取付板１３よりの突出部分３ａに捩じ込んで締着されるナットである。
【００１７】
受圧構造物１は横桟１２ａと縦桟１２ｂの組合わせにより形成される升目６が正方形の格子状構造をなし、中央部には横桟１２ａと縦桟１２ｂを省いて周囲の升目６より４倍のサイズの大きさの正方形状をなす孔部７を備えている。
【００１８】
位置決め金具２は、一本の線バネを屈曲して両側に取着部９、１０を、取着部間に保持部１１を形成してなるもので、取着部９は一対の平行な上向きに突出する逆Ｕ形状の凸状部９ａを有して、凸状部間で孔部７の中心線上に位置する横桟１２ａに図の下方より嵌着して取着され（図１Ａ及び図１Ｂにおいて、取着部９は横桟１２ａに嵌着しているが、縦桟１２ｂに嵌着して取着されるようにしてもよい）、取着部１０は図において上向きに折り曲げて形成され、前記横桟１２ａと縦桟１２ｂとのコーナ部に上端が桟に食い込むようにして取着されるようになっている。
【００１９】
保持部１１は、両側の取着部９及び１０を孔部両側の横桟１２ａに取着した状態で略菱形をなし、ロックボルト３の突出部分に嵌着して保持部１１の弾発力によりロックボルト突出部分を両側より挟着して保持するようになっており、保持されたロックボルト突出部分は、孔部７の中心、すなわち受圧構造物１の中心に位置するようになっている。
【００２０】
図３Ａ及び図３Ｂに示す位置決め金具１４は両側に前記取着部９を形成し、保持部１５を円弧の組合せよりなる略円形にしたもので、両側の取着部９のうち、図３に示す右側の横桟１２ａを挟み込む取着部９は凸状部９ａが連結されないで途切れている。
【００２１】
図４Ａ及び図４Ｂに示す位置決め金具１６は、丸孔１７を備えた円形の保持部１８と、該保持部１８の両側より側方に突出形成される腕部１９と、図４Ｂにおいて上向きに折り曲げられた腕部端に形成され、横桟１２ａに嵌合する嵌合溝２０を有し、嵌合溝２０を備えた腕部端が取着部を構成するもので、全体が板バネにより左右対称形に形成され、前記嵌合溝２０が前記孔部１７の中心線上に位置している。
【００２２】
本実施形態の位置決め金具１６は両端に形成される嵌合溝２０を孔部７両側の中心線上に位置する横桟１２ａに図の下方より嵌挿することにより取着され、孔部１７に差込まれるロックボルト突出部分を孔部７の中心位置、すなわち受圧構造物１の中心位置に位置させる。
【００２３】
図５Ａ及び図５Ｂに示す位置決め金具２２は、取着部２３が腕部１９端より図の下向きに突出するＪ形状の屈曲部で形成される点で、図４Ａ及び図４Ｂに示す位置決め金具１６と異なっている。
【００２４】
本実施形態の位置決め金具２２は、取着部２３を構成する縦壁部と、保持部１８及び腕部１９とで形成され、図の上向きに凹む凹部が孔部７に上方より嵌挿され、嵌合溝２０を孔部中心線上に位置する前記横桟１２ａに嵌挿することにより取着され、前記凹部が孔部７に嵌着することにより、位置決め金具２２がより確実に受圧構造物１に取付けられるようになっている。
【００２５】
図６Ａ及び図６Ｂに示される位置決め金具２５は、両端を上向きに折り曲げた矩形の板バネより形成され、両側の上向きに折り曲げた折曲部２６が取着部となって孔部７を形成する縦桟１２ｂに密着して取付けられ、中央部には丸孔２７を備えている。
【００２６】
本実施形態の位置決め金具２５は、丸孔中心が孔部中心に一致するように位置決めして孔部７に押込み、縦桟１２ｂに密着させて取付けられる。
【００２７】
図７は、同心円状に配置した環状の桟３１と、ロックボルト３の法面よりの突出部分が通される孔部３２を形成する中央の環状の桟３１より放射状に配置される桟３３とで構成され、各枡目３４を円弧状とした受圧構造物３０に適用した例を示すもので、位置決め金具として図６Ａ及び図６Ｂに示される位置決め金具２５と同一構造をなす位置決め金具３５が用いられ、孔部３２に嵌着して取付けられる。
【００２８】
本実施形態においては、平面視で矩形をなす位置決め金具３５を孔部３２に押込み、桟３１に嵌着させて位置決め金具３５の四隅のコーナを中央部の桟３１に当てることにより位置決め金具３５の芯出しが行われ、ロックボルト突出部が通される丸孔３６の中央が孔部中心に位置するようになる。なお、図１Ａ、図３Ａ、図４Ａ及び図５Ａはいずれも孔部７に位置決め金具２、１４、１６及び２２を取り付けた受圧構造物中央部の底面図を示すが、図６Ａ及び図７に関しては、孔部７、３２に位置決め金具２５、３５を取付けた受圧構造物中央部の平面図となっている。また図１Ｂ、図３Ｂ、図４Ｂ、図５Ｂ及び図６Ｂは、それぞれ孔部両側の孔部中心線上に位置する横桟１２ａでの断面を示している。
【符号の説明】
【００２９】
１、３０・・受圧構造物
２、１４、１６、２２、２５、３５・・位置決め金具
３・・ロックボルト
４・・法面
６、３４・・升目
７、３２・・孔部
９、１０、２３・・取着部
１１、１８・・保持部
１２ａ・・横桟
１２ｂ・・縦桟
１７、２７、３６・・丸孔
２０・・嵌合溝
３１、３３・・桟
【図１】
0006465733.tif 000002
【図２】
0006465733.tif 000003
【図３】
0006465733.tif 000004
【図４】
0006465733.tif 000005
【図５】
0006465733.tif 000006
【図６】
0006465733.tif 000007
【図７】
0006465733.tif 000008